(57)【要約】【課題】簡易な構造で指先部に確実に巻付けることができ使い勝手に優れ、患部及びその周辺部に加えられた衝撃や力に対して有効で、通気性を保持できる指先痛防止絆創膏を得る。【解決手段】本発明指先痛防止絆創膏は、内側方向に可撓性を備えたシート又はフィルム状の基材に、縦方向に弾発性を備えたプラスチック製の細幅縦筋状突起が左右間隔をおいて形成されたリブ材が固着され、前記リブ材の内側面上に少なくとも粘着剤層を含む表面材が粘着されていることを特徴とする。【選択図】        図１
2004208972.tif 000002
【特許請求の範囲】
【請求項１】
内側方向に可撓性を備えたシート又はフィルム状の基材に、縦方向に弾発性を備えたプラスチック製の細幅縦筋状突起が左右間隔をおいて形成されたリブ材が固着され、前記リブ材の内側面上に少なくとも粘着剤層を含む表面材が粘着されていることを特徴とする指先痛防止絆創膏。
【請求項２】
表面材は粘着剤層のみを有し、基材を外面側において巻芯回りにロール状に巻取られていることを特徴とする請求項１に記載の指先痛防止絆創膏。
【請求項３】
表面材は粘着剤層と該粘着剤層を被覆する剥離紙とよりなり、所定形状の板状とされていることを特徴とする請求項１に記載の指先痛防止絆創膏。
【請求項４】
基材とリブ材とが一体成形によって成ることを特徴とする請求項１〜３のいずれかに記載の指先痛防止絆創膏。
【請求項５】
リブ材の断面形状が略方形で突起の高さは０．３ｍｍ〜１．０ｍｍ、左右幅は１．０ｍｍ〜３．０ｍｍ、左右間隔は１．０ｍｍ〜３．０ｍｍにとられ、基材の厚さは０．３ｍｍ〜１．０ｍｍにとられていることを特徴とする請求項１〜４のいずれかに記載の指先痛防止絆創膏。
【発明の詳細な説明】
【０００１】
【発明の属する技術分野】
本発明は、指先に怪我、爪損傷、化膿等が発生したときにおいて、患部周辺に衝撃や力が加わったときの指先痛防止絆創膏の改良に関する。
【０００２】
【従来の技術】
指先に怪我、深爪、爪の剥離、爪回りの化膿（例えばひょうそう）等が起こったとき、怪我や爪が損傷した患部に薬をつけ救急絆創膏を巻く処置がなされるが、指先部位周辺に衝撃や力が加わったときには激痛が走るのを防ぐことはできない。これに対して、この衝撃を緩和するためになされた救急絆創膏がある。（例えば特許文献１、２参照。）。
【０００３】
【特許文献１】
実開平４−１０８５２０号公報（［請求項１］、［図１］の記載）
【特許文献２】
特開２０００−３００６００号公報（［特許請求の範囲］、［図１］乃至の［図３］の記載）
【０００４】
【発明が解決しようとする課題】
前記特許文献１に記載の従来の技術においては、基材に患部と接触する軟質発泡体がガーゼに包まれた吸収パッドが貼着され、加えられた衝撃を吸収させることとしている。
前記特許文献２に記載の従来の技術においては、基材シートに患部と接触する平面状のパッドと、弾性変形可能な気体を密封した袋状物、中空球状体又は発泡体からなるクッション材を用い、加えられた衝撃を吸収し痛みを緩和させることとしている。
しかし、いずれの救急絆創膏も異形状の指先部にきっちり巻付けるのは困難であり、仮に巻付けても外れやすく、使い勝手が悪い。又これらの救急絆創膏を巻付けてない周辺部から患部に伝えられる衝撃に対しては、全く無力であり、密着して使用される為通気性が全く得られない。
これに対し本発明は、簡易な構造で指先部に確実に巻付けることができ使い勝手に優れ、患部及びその周辺部に加えられた衝撃や力に対して有効で、通気性を保持できる指先痛防止絆創膏を得ることを目的とする。
【０００５】
【課題を解決するための手段】
本発明は、前記目的を達成するために、
請求項１の発明にあっては、シート又はフィルム状の基材内側に可撓性を有するプラスチック製の細幅縦筋状突起が左右間隔をおいて形成されたリブ材が固着され、前記リブ材の内側面上に少なくとも粘着剤層を含む表面材が粘着されている指先痛防止絆創膏により解決した。
請求項２の発明にあっては、表面材は粘着剤層のみを有し、基材を外面側において巻芯回りにロール状に巻取られている請求項１に記載の指先痛防止絆創膏とすることができる。
請求項３の発明にあっては、表面材は粘着剤層と該粘着剤層を被覆する剥離紙とよりなり、所定形状の板状とされている請求項１に記載の指先痛防止絆創膏とすることができる。
請求項４の発明にあっては、基材とリブ材との固着は、接着剤によるか又は一体成形によるかしてなされている請求項１〜３のいずれかに記載の指先痛防止絆創膏とすることができる。
請求項５の発明にあっては、リブ材の断面形状が略方形で突起の高さは０．３ｍｍ〜１．０ｍｍ、左右幅は１．０ｍｍ〜３．０ｍｍ、左右間隔は１．０ｍｍ〜３．０ｍｍにとられ、基材の厚さは０．３ｍｍ〜１．０ｍｍにとられている請求項１〜４のいずれかに記載の指先痛防止絆創膏とするのが好ましい。
【０００６】
【発明の実施の形態】
本発明の実施の形態を図面を参照して説明する。
図１は、本発明の指先痛防止絆創膏の各例の概略正面図、側面図及び斜視図である。
図２は、本発明の指先痛防止絆創膏の使用例を示す概略斜視図である。
図３は、図２の本発明の指先痛防止絆創膏の使用例の概略側面図及び正面図である。
以下においては、本発明の指先痛防止絆創膏の使用時に、図２、３に示す通り、指先が接する側を内側とし、表面に露出する側を外側とし、内側から外側に向かって見て指先側を上側としその反対側を下側とし、指先に巻付ける方向を左右又は横方向とし、上下方向を縦方向として説明する。又各例の構成要素のうち共通するものは、最初の例のみ詳細説明し後の例には同一符号を用い詳細説明を省略する。
【０００７】
先ず図１（ａ）（ｂ）（ｃ）に示す本発明第１例の指先痛防止絆創膏１ついて説明する。指先痛防止絆創膏１は、基材１１と、リブ材１２と、表面材１３と、固着材１４とを有している。ここで、図１はリブ材１２及び表面材１３を除いて示してある。
基材１１は、下記（イ）乃至（ハ）のシート又はフィルム状の素材が用いられ、形状は所定寸法の方形状又は長尺テープ状にとられ、厚さｔは通常０．３ｍｍ〜１．０ｍｍにとるのが好ましい。基材１１は、従来の通常の絆創膏と素材は同じであるが、固さを僅かにもたせた方が好ましい。これは柔らかすぎると指先に巻付けたときに後述するリブ材の作用でぐしゃぐしゃになることがあるからである。
（イ）レーヨン、綿、アセテート、ポリエステル、ナイロン若しくはビニロン等の単独又は混紡の織布。
（ロ）レーヨン、ポリエステル又はポリプロピレン等の不織布
（ハ）ポリ塩化ビニル、ポリエチレン、ポリエステル、ポリプロピレン若しくはナイロン等のプラスチックのシート又はフィルム。  セロハン、アセテート等のシート又はフィルム。
前記（イ）乃至（ハ）の素材は、単層又は積層のいずれでもよく、又安定剤、充填剤、帯電防止剤、着色剤等を必要により添加してもよい。
リブ材１２は、ポリ塩化ビニル、ポリエチレン、ポリエステル、ポリプロピレン、ナイロン等の可撓性を有するプラスチック製の断面形状が略方形の細幅縦筋状突起が左右間隔をおいてほぼ等ピッチに形成され、基材１１の外面側に固着材１４により強固に固着されている。ここでの固着材１４としては樹脂系、ゴム系、その他の汎用の接着剤が用いられる。各部寸法は、通常高さａは０．３ｍｍ〜１．０ｍｍ、左右幅ｂは１．０ｍｍ〜３．０ｍｍ、左右間隔ｃは１．０ｍｍ〜３．０ｍｍにとるのが好ましい。
表面材１３は、剥離紙１３ａと粘着剤層１３ｂとからなり、各リブ材１２の内側面上に平坦状に渡って粘着されている。剥離紙１３ａは粘着剤層１３ｂを外界より保護し且つ使用時には粘着面から容易に剥離できるものであれば材質は限定されないが、例えばシリコーン離型処理された紙や、ポリエチレン、ポリエステル、ポリプロピレンのフィルム等が用いられる。粘着剤層１３ｂに用いられる粘着剤としては、例えばアクリル系、ゴム系、シリコーン系等があるが、耐水性、皮膚への低刺激性、低コスト等からアクリル系粘着剤が好ましい。
本例は、剥離紙を用い、最終使用形態として通常所定寸法の平坦な板状として用いられる。
【０００８】
図１（ｄ）に示す第２例の指先痛防止絆創膏２は、基材１１と、リブ材２２と、表面材１３と、固着材１４とを有している。
基材１１、表面材１３、固着材１４は前記指先痛防止絆創膏１と同様である。リブ材２２は、前記リブ材１２と同様の素材製で、断面形状が略方形の谷部２２ａと山部２２ｂとが左右間隔をおいて突起が交互にほぼ等ピッチに形成され、基材１１の外面側に固着材１４により強固に固着されている。
本例は、第１例と同様に、最終使用形態として通常平坦な板状として用いられる。
【０００９】
図１（ｅ）（ｉ）に示す第３例の指先痛防止絆創膏３は、基材１１と、リブ材１２と、表面材３３と、固着材１４とを有している。
第１例と同様に、リブ材１２は基材１１の外面側に固着材１４により強固に固着されている。表面材３３は、剥離紙を有せず、粘着剤層のみからなり、各リブ材１２ごとに内側面上に第１例のように渡ることなく、飛び飛びに粘着されている。本例は、表面材３３に剥離紙を用いず、最終使用形態として通常図１（ｉ）に示す通り基材１１を外面側において巻芯３５回りにロール状に巻取られたロールタイプとして用いられる。
【００１０】
図１（ｆ）に示す第４例の指先痛防止絆創膏４は、基材４１と、リブ材４２と、表面材４３とを有している。
基材４１とリブ材４２は、前記基材１１及びリブ材１２と同様寸法のプラスチック製で固着材は使用せず一体に成形されている。表面材４３は、剥離紙を用いず、粘着剤層のみからなり、各リブ材４２内側面上及び隣接するリブ材４２間の基材４１内側面上に渡って粘着されている。このとき、粘着材層は谷部をすべて埋めて充填されても良い。本例も第３例と同様に最終使用形態として通常ロールタイプとして用いられる。
【００１１】
図１（ｇ）に示す第５例の指先痛防止絆創膏５は、基材１１と、リブ材５２と、表面材５３と、固着材１４とを有している。
第１例と同様に、リブ材５２はプラスチック製の断面形状が略台形の細幅縦筋状突起が左右間隔をおいてほぼ等ピッチに形成され、略台形の長辺側が基材１１の外面側に固着材１４により強固に固着されている。表面材５３は、剥離紙を用いず、粘着剤層のみからなり、各リブ材５２ごとに内側面上に第３例のように飛び飛びに粘着されている。本例も第３例と同様に最終使用形態として通常ロールタイプとして用いられる。
【００１２】
図１（ｈ）に示す第６例の指先痛防止絆創膏６は、基材６１と、リブ材６２と、表面材６３とを有している。基材６１とリブ材６２は、前記第４例の基材４１及びリブ材４２と同様にプラスチック製で固着材は使用せず一体に成形され、リブ材６２は断面形状が例えば円弧等の湾曲形状で細幅縦筋状突起が左右間隔をおいてほぼ等ピッチに形成されている。表面材６３は、剥離紙を用いず、粘着剤層のみからなり、各リブ材６２内側面上及び隣接するリブ材６２間の基材６１内側面上に渡って粘着されている。本例も第３例と同様に最終使用形態として通常ロールタイプとして用いられる。
【００１３】
前記第１例乃至第６例の各構成要素は、部分的にそれぞれ入替えることができる。
例えば、第１及び第２例では最終使用形態として板状タイプとして用いられ、第３例乃至第６例では最終使用形態としてロールタイプとして用いられているが、第１例、第２例で剥離紙を止めてロールタイプとするか、第３例乃至第６例に剥離紙を用いて板状タイプとすることもできる。板状タイプは、図１（ｊ）の如く、指への巻き付け用に基材両端に粘着剤のみを施した態様であっても良い。
又第１、第２、第３及び第５例では、基材とリブ材とは、接着剤などの固着材１４を用いて固着しているが、第４及び第６例と同様に一体に成形してもよい。
このときは、基材とリブ材とは同じプラスチック製とされ、リブ材の間は基材のプラスチックによって一定の強度をもって保持されるから、後述するリブ材の弾発作用を確実にすることができる。一方第４及び第６例を固着材を用いて固着することとしてもよい。
いずれの例においても、シート又はフィルム状の基材内側に可撓性を有するプラスチック製の細幅縦筋状突起が左右間隔をおいて形成されたリブ材により、左右方向は容易に指先に巻付け可能な可撓性があり、上下方向に弾発性を有しているため縮んだり折れたりすることがない。
リブ材の断面形状は、前記略方形、略台形、湾曲形状又はこれらから僅かに変形したり、中抜き部を設けたりしてもよいが、製造面、コスト面、使い勝手面等よりして前記略方形とするのが最も好ましい。
【００１４】
次に、図２、３により指先痛防止絆創膏の使用法を第２例により説明する。
左手７の人差し指７１の爪７１ａ周辺が化膿した場合において、指先痛防止絆創膏２を用い、表面材１３の剥離紙１３ａを剥がし粘着剤層１３ｂを露出させ、爪７１ａ及び指先７１ｂを囲繞するように継ぎ目１１ａを重ねて巻付ける。このとき、傷部分は薬で治療し、ガーゼ、包帯等を施しておいても良い。そして、筒状に巻付けられた指先痛防止絆創膏２は先端部が爪７１ａの先端より僅かに外側に食出すようにし、プラスチック製の細幅縦筋のリブ材２２の山部２２ｂが指先７１ｂの長手方向に沿うようにして、山部２２ｂが粘着剤層１３ｂにより爪７１ａ及び指先７１ｂに巻付け粘着させる。指先痛防止絆創膏２は、左右方向は柔軟性があり爪７１ａ及び指先７１ｂへの巻付けは容易確実に行うことができる。
爪７１ａ及び指先７１ｂへの巻付けが終わった状態においては、指先痛防止絆創膏２は、リブ材２２により指の長手方向には固さを有し、先端に衝撃や力が加わっても縮んだり折曲することがなく、あたかも竹籤のように外力に対し弾発性を発揮する。従って、従来の絆創膏ではグニャリと変形して衝撃が直接患部に響いて痛みが走ったものを、弾発性が衝撃に対して緩衝作用を発揮し、痛みが大きく緩和される。
又筒状に巻付けられた先端部を開放状態に保持でき、空間が出来るので通気性が得られ、傷口がむれず傷の治りが早くなる。
人差し指７１には図３について前記した通り直接巻付けることも出来るし、ガーゼや包帯で巻いた上に重ねて指先痛防止絆創膏２を巻付けることも出来る。
前記第２例以外の他例においても、又他の手足の指に用いる場合においても同様の使用法が適用可能である。又、指先だけによらず、第二関節又は第三関節付近に怪我等をした場合にも、本発明品を関節に添え木状に巻き付ければ、関節の曲げを防止して、固定することができる。
図１（ｉ）に示すロールタイプの指先痛防止絆創膏にあっては、別体の剥離紙はなく、直接巻付けられたロールから必要長さ分だけを解舒して用いる。
更に、基材部外側に図柄やカラーを施せば、ファッション感覚を楽しむことができる。
【００１５】
【発明の効果】
本発明の指先痛防止絆創膏によれば、簡易な構造で指先部に確実に巻付けることができ使い勝手に優れ、患部及びその周辺部に衝撃や力が加わっても縮んだり曲がったりすることがなく患部に直接響くことがなく、通気性を保持できる等の優れた効果を奏する。
【図面の簡単な説明】
【図１】本発明の指先痛防止絆創膏の板状タイプの（ａ）第１例の概略正面図である。又（ｂ）（ｃ）第１例、（ｄ）第２例、（ｅ）第３例、（ｆ）第４例、（ｇ）第５例、（ｈ）第６例のそれぞれ概略側面図である。（ｉ）第３例のロールタイプの概略斜視図である。
【図２】本発明の指先痛防止絆創膏の第２例の使用例を示す概略斜視図である。
【図３】図２の本発明の指先痛防止絆創膏の使用例の（ａ）概略側面図，（ｂ）概略正面図である。
【符号の説明】
１、２、３、４、５、６  指先痛防止絆創膏
１１、４１、６１  基材
１２、２２、４２、５２、６２  リブ材
１３、３３、４３、５３、６３  表面材
１３ａ  剥離紙
１３ｂ  粘着材層
１４  固着材
２２ａ  谷部
２２ｂ  山部
３５  巻芯
７１  人差し指
７１ａ  爪
７１ｂ  指先
【図１】
2004208972.tif 000003
【図２】
2004208972.tif 000004
【図３】
2004208972.tif 000005